(57)【要約】【課題】カメラのファインダの構成部品点数を削減するとともに、ファインダの組み付けに際しての作業の容易性を図り、さらにファインダ光学系における光軸方向の位置決め精度の向上を図ったファインダを提供する。【解決手段】筒状のレンズホルダ２１と、レンズホルダ２１の筒軸方向の各端部にそれぞれ当接される第１及び第２のレンズ１３，１４と、レンズホルダ２１の筒軸方向の一方から第１のレンズ１３を覆うように被せられ、その先端部が第２のレンズ１４に係合されて両レンズをレンズホルダ２１に支持させる押さえバネ２２とでレンズブロック２０が構成される。レンズブロック２０はファインダ本体に設けた光学筒内に内装されたときに押さえバネ２２の一部が光学筒の内面に弾接した状態でファインダ本体内に嵌合支持される。【選択図】  図６
2004219498.tif 000002
【特許請求の範囲】
【請求項１】
筒状のレンズホルダと、前記レンズホルダの筒軸方向の各端部にそれぞれ当接される第１及び第２のレンズと、前記レンズホルダの筒軸方向の一方から第１のレンズを覆うように被せられ、その先端部が前記第２のレンズに係合されて前記両レンズをレンズホルダに支持させる押さえバネとでレンズブロックが構成され、前記レンズブロックはファインダ本体に設けた光学筒内に内装されたときに前記押さえバネの一部が前記光学筒の内面に弾接された状態で前記ファインダ本体内に嵌合支持されることを特徴とするカメラのファインダ。
【請求項２】
前記押さえバネは底片と、この底片の両側縁部を外屈曲部としてほぼ直角方向にそれぞれ突出するように屈曲された一対の側片とを有しており、前記底片が枠状に形成されるとともに、当該底片の枠部の中央部が前記レンズホルダに向けて突出された内屈曲部として全体形状がＭ字型に形成され、前記内屈曲部において前記第１のレンズに当接され、前記外屈曲部において前記光学筒の内面に弾接されることを特徴とする請求項１に記載のカメラのファインダ。
【請求項３】
前記光学筒は光軸方向の一方の内面が前記レンズブロックの光軸方向の位置を規定する基準面として形成される一方、前記基準面と光軸方向に対向する内面が弾接面として形成され、前記レンズブロックは前記第２のレンズ側の端部に設けられた当接部が前記基準面に当接され、前記押さえバネの前記外屈曲部が前記弾接面に弾接されることを特徴とする請求項２に記載のカメラのファインダ。
【請求項４】
前記押さえバネの一対の側片は、前記第２のレンズに設けられた突起に係合するためのレンズ係合穴と、前記レンズホルダに設けられた突起に係合するためのホルダ係合穴を備えることを特徴とする請求項１ないし３のいずれかに記載のカメラのファインダ。
【発明の詳細な説明】
【０００１】
【発明の属する技術分野】
本発明はカメラのファインダに関し、特にファインダの組み付けに際しての作業の容易性と、ファインダ光学系における光軸方向の位置決め精度の向上を図ったファインダに関するものである。
【０００２】
【従来の技術】
カメラのファインダを複数のレンズで構成する場合には、これらのレンズをファインダ本体やカメラ本体に組み付けているが、レンズを個々に組み付けるのは組み付け性、作業性が悪くなる。複数のレンズを予めブロック化したレンズブロックを組み立てておき、このレンズブロックをファインダ本体やカメラ本体に組み付ける技術が提案されている。例えば、特許文献１の図６には、２枚のレンズを筒状をしたレンズホルダに組み付けて一体化する技術が開示されている。特許文献１の技術では、フィルムユニット（レンズ付フィルム）のリサイクルを図るために、ユニットの構成部品の分離を容易にすることを目的としてなされているものであるが、この技術を利用して前述のようなレンズブロックを構成することにより、両レンズをファインダ本体に一体的に組み付けることが可能になり、レンズの組み付け性を高めることが可能になる。
【０００３】
【特許文献１】特開平１１−３１６３３２号公報
【０００４】
【発明が解決しようとする課題】
特許文献１に記載の技術は、筒状をしたレンズホルダの両端にそれぞれレンズを当接し、その背後からそれぞれ防塵カバーを被せるようにしてレンズホルダに係合させ、この係合によってレンズホルダと防塵カバーとの間にそれぞれレンズを挟持している。この構成では２枚のレンズのそれぞれに対して防塵カバーが必要であり、部品点数が増大するとともに、組み付け作業工数が多くなるという問題がある。また、特許文献１の技術は、レンズブロックがそのままファンダの全光学系を構成するものであり、ファインダ光学系の一部をブロック化したものではない。そのため、このようなレンズブロックをファインダ光学系の一部として組み立てる際に、ファインダ光学系の他のレンズに対する位置決め精度をどのようにして確保するのかという課題を解決する技術を示唆するものとはなっていない。
【０００５】
本発明の目的は、ファインダの構成部品点数を削減するとともに、ファインダの組み付けに際しての作業の容易性を図り、さらにファインダ光学系における光軸方向の位置決め精度の向上を図ったファインダを提供するものである。
【０００６】
【課題を解決するための手段】
本発明のファインダは、筒状のレンズホルダと、レンズホルダの筒軸方向の各端部にそれぞれ当接される第１及び第２のレンズと、レンズホルダの筒軸方向の一方から第１のレンズを覆うように被せられ、その先端部が第２のレンズに係合されて両レンズをレンズホルダに支持させる押さえバネとでレンズブロックが構成されており、このレンズブロックはファインダ本体に設けた光学筒内に内装されたときに押さえバネの一部が光学筒の内面に弾接した状態でファインダ本体内に嵌合支持されることを特徴としている。
【０００７】
本発明の好ましい形態としては、押さえバネは底片と、この底片の両側縁部を外屈曲部としてほぼ直角方向にそれぞれ突出するように屈曲された一対の側片とを有しており、底片が枠状に形成されるとともに、当該底片の枠部の中央部がレンズホルダに向けて突出された内屈曲部として全体形状がＭ字型に形成され、当該内屈曲部において第１のレンズに当接され、外屈曲部において光学筒の内面に弾接される構成とされる。また、この場合に、光学筒は光軸方向の一方の内面がレンズブロックの光軸方向の位置を規定する基準面として形成される一方、基準面と光軸方向に対向する内面が弾接面として形成され、レンズブロックは第２のレンズ側の端部に設けられた当接部が基準面に当接され、押さえバネの外屈曲部が弾接面に弾接される構成とすることが好ましい。
【０００８】
本発明によれば、一つの押さえバネで第１及び第２のレンズをレンズホルダに取着してレンズブロックを構成することができ、部品点数を削減するとともに、レンズブロックの組み付け工数を削減することができる。また、レンズブロックをファインダ本体内に組み付けたときには、押さえバネによって光学筒内での光軸方向の位置決めを行うことが可能になる。
【０００９】
【発明の実施の形態】
次に、本発明の実施形態を図面を参照して説明する。図１は本発明を３５ミリフィルム（１３５フィルム）を用いるカメラに適用したファインダ１の全体構成を示す概略図である。カメラボディ２には、前面に撮影レンズが配線され、上面にレリーズボタン４が配設されており、前記ファインダ１はカメラボディ２の上部内に組み付けられており、カメラボディ２の前面のファインダ窓５とカメラボディ２の背面のファインダ覗き窓６との間に配設されている。図２は前記ファインダ１の概略平面図であり、同図を併せて参照すると、前記ファインダ１はファインダ本体１０を備えており、このファインダ本体１０内に複数のレンズやプリズム、ミラー等が組み付けられてズーム構造のファインダが構成されている。すなわち、光軸方向に移動される移動第１レンズ１１及び移動第２レンズ１２により可変倍率で結像される結像光はプリズム１６で下方向に変位されるとともに、水平方向に９０度の角度で屈曲され、固定第１レンズ１３の背面に形成されたピント面に結像される。結像された像は固定第２レンズ１４で拡大され、さらにミラー１７で９０度の角度に屈曲された後、固定第３レンズ（接眼レンズ）１５を通して撮影者により観察されるように構成されている。なお、以上の各レンズ１１〜１５は単玉レンズ、あるいは複合レンズで構成されるが、ここではこれら個々のレンズの構成に関わらずそれぞれを一つのレンズとして説明を行うものとする。
【００１０】
図２に示すように、前記ファインダ本体１０には前述のようにクランク状に屈曲された光軸に沿って光学筒３０が形成されており、この光学筒３０のうちカメラの前面側に向けられた前側筒３１内にはそれぞれ光軸方向に移動可能な前記移動第１レンズ１１と移動第２レンズ１２が内装されている。また、前記光学筒３０のうちカメラの背面側に向けられた後側筒３２内には前記固定第３レンズ１５が内装されている。さらに、前記前側筒３１と後側筒３２の間のカメラの左右方向に向けられた中間筒３３内には、背面がピント面として形成されている固定第１レンズ１３と、これと所定の光軸距離をおいて配置された固定第２レンズ１４とをレンズホルダ２１により一体化したレンズプロック２０が内装されている。また、前記前側筒３１と中間筒３３の角部には光軸を垂直方向に変位させると同時に水平方向に９０度屈曲するためのプリズム１６が内装されている。さらに、前記中間筒３３と後側筒３２との角部には光軸を水平方向に９０度屈曲するためのミラー１７が内装されている。
【００１１】
前記移動第１レンズ１１及び移動第２レンズ１２は、前側筒３１内において光軸方向に移動可能な状態で前記ファインダ本体１０に支持されており、カメラの撮影レンズ３のズーミング動作に伴って動作される図には現れないカム機構によって光軸方向に移動され、当該撮影レンズ３の焦点距離に対応した結像倍率となるように構成されているものであるが、ここでは詳細な説明は省略する。また、接眼レンズとしての前記固定第３レンズ１５は、カメラの背面に設けられたファインダ覗き窓６に対応する位置において前記ファインダ本体１０に固定支持されている。さらに、前記プリズム１６、ミラー１７もファインダ本体１０に固定支持されている。
【００１２】
前記ファインダ本体１０の中間筒３３は、図３を併せて参照すると、ファインダ本体１０の上方から中間筒３３内にレンズブロック２０を落し込むように挿入して固定を行うように構成されており、前記レンズブロック２０の固定第１レンズ１３に対向する位置、すなわち前記プリズム１６に対向する位置には開口窓３５を有する前壁３４が存在し、レンズブロック２０の前端面が当接されるようになっている。また、前記レンズブロック２０の固定第２レンズ１４に沿った両側壁３６には、それぞれレンズホルダ２０の一部、具体的には後述する当接部    に当接可能な段状をした基準面３７が形成されている。
【００１３】
次に前記レンズブロック２０について説明する。図４は前記レンズブロック２０の外観斜視図、図５は中央位置の縦断面図、図６はその部分分解斜視図である。レンズブロック２０は、光軸に沿った前端部の外形寸法が後端部よりも若干小さくされた角錘筒状をしたレンズホルダ２１を備えており、このレンズホルダ２１の図示右側の前端部２１１に前記固定第１レンズ１３が、図示左側の後端部２１２に固定第２レンズ１４がそれぞれ密着状態に支持されている。また、前記固定第１レンズ１３及び固定第２レンズ１４を前記レンズホルダ２１に支持させるための押さえバネ２２を備えている。
【００１４】
前記固定第１レンズ１３及び固定第２レンズ１４はそれぞれ外形が矩形をした単玉レンズとして樹脂成形により形成されており、ここでは固定第１レンズ１３の外形寸法は固定第２レンズ１４の外形寸法よりも若干小さく形成されている。また、各レンズ１３，１４の一側辺にはそれぞれ成形時に発生するゲート１３１，１４１が残されている。ここで、前記固定第１レンズ１３の背面には粗面に形成されたピント面１３２が一体に形成されている。このピント面１３２は、例えば別体のピント板を一体的に接着した構成であってもよい。また、前記固定第２レンズ１４の上下の各縁部のほぼ中央位置には上下の各外側に向けて横長の突起１４２が突出されており、前記押さえバネ２２の後述するレンズ係合穴２２７に係合されるようになっている。
【００１５】
前記レンズホルダ２１の前端部２１１の内筒寸法は前記固定第１レンズ１３の外形寸法にほぼ等しくされるとともに、その開口縁の内周には段部２１３が設けられ、この段部２１３に前記固定第１レンズ１３の周縁部が当接状態に挿入されるようになっている。また、当該前端部２１１の外形寸法は、前記固定第１レンズ１３に存在しているゲート１３１が当接することがない寸法に形成されている。同様に前記レンズホルダ２１の後端部２１２の内筒寸法は前記固定第２レンズ１４の外形寸法よりも若干小さくされるとともに、その開口縁の角部２１４に前記固定第２レンズ１４の周縁部が当接状態に嵌合されるようになっている。なお、当該後端部２１２には外形寸法が左右方向に若干突出されて後端面が平坦な面に形成された当接部２１５が一体に形成される。なお、当接部２１５の一方には前記固定第２レンズ１４のゲート１４１に対応する部分との当接を避ける凹部２１６が設けられている。さらに、前記レンズホルダ２１の前端部２１１寄りの上下縁部にはそれぞれ押さえバネ２２の後述するホルダ係合穴２２６に係合される縦長の突起２１７が突出形成されている。
【００１６】
前記押さえバネ２２は、図７に左右中央位置の縦断面図を示すように、板バネを曲げ加工して形成されており、長さ方向の中間に位置される底片２２１と、この底片２２１の上下の各縁部を外向きの外屈曲部２２３として板厚方向にほぼ９０度の角度に曲げ形成された一対の側片２２２とを備える構成とされている。前記底片２２１は、前記固定第１レンズ１３の周縁に沿った矩形の枠状に形成されており、この枠内を通して固定第１レンズ１３を透視可能とされている。前記底片２２１の左右の枠２２４は上下方向の中央部が内面方向に向けて山型に突出するように曲げ加工された内屈曲部２２５を有しており、これにより押さえ板バネ２２を側面方向から見たときには、全体として横向きＭ字状に形成されることになる。また、前記一対の側片２２２の左右方向の幅寸法は底片２２１の幅寸法のほぼ１／２程度に短くされており、かつ底片２２１の上下縁部の互いに対角位置から各先端部が左右方向のほぼ中央位置になるように斜行形状に形成されている。そして、前記一対の側片２２２にはそれぞれ突出方向のほぼ中央位置に縦長のホルダ係合穴２２６が開口され、先端部の位置に横長のレンズ係合穴２２７が開口されている。
【００１７】
以上の構成のレンズホルダ２１、固定第１レンズ１３、固定第２レンズ１４、押さえ板バネ２２を用いてレンズブロック２０を構成するには、レンズホルダ２１の前端部２１１の段部２１３内に固定第１レンズ１３の周縁部を嵌入させ、同時にレンズホルダ２１の後端部２１２の角部２１４に固定第２レンズ１４の周縁部を当接させる。次いで、これら両レンズ１３，１４の当接状態を保持しながら、レンズホルダ２１の前端部２１１側から押さえバネ２２を固定第１レンズ１３に被せ、さらに押さえバネ２２の両側片２２２をレンズホルダ２１の上下面に沿って前進させて行く。そして、押さえバネ２２の底片２２１の内屈曲部２２５が固定第１レンズ１３の周縁部に当接しても更に押さえバネ２２を押し込むと、底片２２１は弾性変形されながらさらに前進され、所定の位置で固定第２レンズ１４の突起１４２に両側片２２２の各レンズ係合穴２２７が係合される。また、これと同時にレンズホルダ２１の突起２１７にホルダ係合穴２２６が係合される。これにより、固定第１レンズ１３は押さえバネ２２の底片２１１の内屈曲部２２５との弾接によってレンズホルダ２１の前端部２１１の段部２１３に押圧された状態となり、また固定第２レンズ１４は押さえバネ２２の両側片２２２が内屈曲部２２５の弾性復帰力により外屈曲部２２３が前方に引っ張られ、これによって固定第２レンズ１４が前方に付勢されることでレンズホルダ２１の後端部２１２の角部２１４に押圧された状態となる。この結果、図４及び図５に示したように、一つの押さえバネ２２によって固定第１レンズ１３と固定第２レンズ１４がレンズホルダ２１を挟持した状態で一体化され、レンズブロック２０が構成されることになる。
【００１８】
このように、本実施形態のレンズブロック２０では、一つの押さえバネ２２で固定第１レンズ１３と固定第２レンズ１４の２つのレンズを同時にレンズホルダ２１に支持させることができる。これにより、特許文献１の技術と比較した場合に、部品点数を削減することができるとともに、組み付け工数を低減して組み付けの容易化が可能になる。また、レンズホルダ２１の各端部に支持される固定第１レンズ１３と固定第２レンズ１４を押さえバネ２２で互いに対向する方向に付勢するとともに、各レンズ１３，１４をレンズホルダ２１の各端部２１１，２１２に設けた段部２１３や角部２１４を利用して当接させているので、各レンズ１３，１４とレンズホルダ２１の各端部２１１，２１２との密接状態を高め、レンズブロック２０内における防塵効果を高め、特にピント面１３２への塵埃の付着を防止することも可能になる。なお、押さえバネ２２はホルダ係合穴２２６がレンズホルダ２１の突起２１７に係合することで、押さえバネ２２がレンズホルダ２１に対して水平左右方向に移動されることがなく、両レンズ１３，１４の支持状態が確保される。
【００１９】
さらに、このように構成されたレンズブロック２０を前記ファインダ本体１０に組み付けるには、ファインダ本体１０に設けられている中間筒３３に対して上方からレンズブロック２０を落とし込むようにして挿入する。図８（ａ），（ｂ）はレンズブロック２０を中間筒３３内に挿入した状態の平面図とＡＡ線に沿う断面図である。レンズブロック２０を中間筒３３内に挿入すると、レンズブロック２０の前端側の押さえバネ２２の底片２２１が弾接面としての前壁３４の内面に当接され、またレンズブロック２０の後端側はレンズホルダ２１の左右に設けられた当接部２１５が両側壁３６の基準面３７に当接される。このとき、レンズブロック２０をファインダ本体１０に挿入する前には、突起１４２とレンズ係合穴２２７の係合により固定第２レンズ１４をレンズホルダ２１に付勢しており、レンズブロック２０をファインダ本体１０に挿入後は、突起１４２とレンズ係合穴２２７との係合により固定第２レンズ１４をレンズホルダ２１に付勢する力は弱くなり、代わって固定第２レンズ１４の後方が基準面３７に位置規制され、前方からレンズホルダ２１を介して固定第１レンズ１３を付勢することによって固定第２レンズ１４とレンズホルダ２１を一体にしている。そして、この挿入したときに、押さえバネ２２の底片２２１の上下の縁部に存在する外屈曲部２２３が幾分前方に突出した位置にあるため、この外屈曲部２２３が前壁３４の内面に弾接されると、押さえバネ２２は僅かに後方に移動され、押さえバネ２２が固定第２レンズ１４を前方に引っ張る力は弱くなる。しかし、固定第２レンズ１４は基準面３７に位置規制されており、押さえバネ２２が固定第１レンズ１３をレンズホルダ２１を介して固定第２レンズ１４を付勢するので、レンズブロック２０は基準面３７に対して光軸方向の位置決めがなされると同時に、押さえバネ２２による弾接力によって中間筒３３内に安定な状態で支持されることになる。
【００２０】
なお、この実施形態では、押さえバネ２２の両側片２２２は底片２２１の左右方向の反対位置から互いに逆方向に斜行状態に突出されているが、これはレンズブロック２０を中間筒３３内に内装したときに、下側に配置される側片２２２がプリズム１６と干渉することがないように一方向にずらして設計しているため、当該側片に生じる弾性力と反対側の側片に生じる弾性力とのバランスを取るために設計されているものである。したがって、プリズムやその他の部品との干渉が生じるおそれがない場合には、両側片２２２を底片２２１の全長にわたる幅寸法で、あるいは両側片２２２を底片２２１の中央位置に、しかも斜辺状態ではなく真直な状態で形成するようにしてもよい。
【００２１】
また、前記実施形態の押さえバネ２２は、外屈曲部２２３と内屈曲部２２５とで全体をＭ字状に曲げ形成した例を示しているが、各屈曲部の曲げ形状は適宜に変更することが可能であり、特に内屈曲部２２５は円弧状に曲げ形成してもよく、このようにすれば内屈曲部２２５と固定第１レンズ１３との接触面積を拡大することができ、固定第１レンズ１３の支持をより安定なものにすることができる。また、外屈曲部２２３は単に９０度に近い角度で曲げ形成するのではなく、積極的に前方に向けて突出するような形状に曲げ形成することで、外屈曲部２２３と内壁３４の内面との弾接力を高め、中間筒３３内でのレンズブロック２０の支持強度を高めることが可能になる。
【００２２】
なお、前記実施形態では、本発明にかかるレンズブロックをズーム構成のファインダに適用した例を示しているが、特許文献１に記載のような固定焦点方式のファインダの光学系の一部として構成することも可能である。
【００２３】
【発明の効果】
以上説明したように本発明は、一つの押さえバネで第１及び第２のレンズをレンズホルダに取着してレンズブロックを構成することができ、部品点数を削減するとともに、レンズブロックの組み付け工数を削減し、組み付けを容易に行うことが可能になる。特に、押さえバネはレンズホルダの一方から他方に向けて押し込むだけでよく、組み付けを極めて簡単に行うことができる。また、レンズブロックをファインダ本体内に組み付けるときには、単にレンズブロックを光学筒内に内装するだけで押さえバネによって光学筒内での光軸方向の位置決めを行うことができるので、高精度なファインダを容易に組み立てることが可能になる。
【図面の簡単な説明】
【図１】本発明のファインダを適用したカメラの模式的な外観図である。
【図２】ファインダの一部を破断した平面図である。
【図３】ファインダ本体の中間筒の水平方向の断面図である。
【図４】レンズブロックの外観斜視図である。
【図５】レンズブロックの中央位置での縦断面図である。
【図６】レンズブロックの部分分解斜視図である。
【図７】押さえバネの左右中央位置の縦断面図である。
【図８】レンズブロックを中間筒に組み付けた状態の平面図とＡＡ線断面図である。
【符号の説明】
１  ファインダ
１０  ファインダ本体
１１  移動第１レンズ
１２  移動第２レンズ
１３  固定第１レンズ
１４  固定第２レンズ
１５  固定第３レンズ
１６  プリズム
１７  ミラー
２０  レンズブロック
２１  レンズホルダ
２２  押さえバネ
３０  光学筒
３３  中間筒
【図１】
2004219498.tif 000003
【図２】
2004219498.tif 000004
【図３】
2004219498.tif 000005
【図４】
2004219498.tif 000006
【図５】
2004219498.tif 000007
【図６】
2004219498.tif 000008
【図７】
2004219498.tif 000009
【図８】
2004219498.tif 000010